(57)【要約】【課題】不正解錠を防止するためのロック部材の作動・非作動を簡単に切り換えて設定することができるゲーム機の施錠装置を提供する。【解決手段】係止凹部６ｂの近傍の連結杆６にロック部材１０が揺動可能に軸支される。ロック部材１０には、係止片２６が係合する係合凹部１０ａが設けられると共に、傾斜面を持った傾斜係合部１０ｂがカム板８と係合可能に設けられる。前扉の閉鎖時に係止片２６が係止凹部６ｂと係合凹部１０ａに係合して連結杆６の移動をロックすると共に、カム板８が解錠側に回動したとき、ロック部材１０が係止片２６と係止凹部６ｂ及び係合凹部１０ａとの係合を外してロックを解除する。ロック部材１０をロック非作動位置に保持するための非作動位置保持部材１８が、ロック作動位置とロック非作動位置間で切り換え可能に連結杆６に取り付けられている。【選択図】図７
2005118212.tif 000002
【特許請求の範囲】
【請求項１】
取付板と支持板からなる基枠体の内側に連結杆が摺動可能に配設され、該支持板の上部と下部に鉤部材が該連結杆に連結されて傾動可能に枢支され、該基枠体の中間部にシリンダ錠が取り付けられ、該シリンダ錠の錠軸の先端に前記連結杆と係合するカム板が固定され、前記基枠体がゲーム機の前扉に縦に取付けられ、該ゲーム機の本体枠側に取付けられた受け金具の係止部に前記鉤部材が係止されて前扉を施錠するゲーム機の施錠装置であって、
前記本体枠側に係止片が設けられ、該前扉の閉鎖時に該係止片が係合する係止凹部が前記連結杆に設けられ、該係止凹部の近傍の該連結杆にロック部材が揺動可能に軸支され、該ロック部材には、該係止片が係合する係合凹部が設けられると共に、傾斜面を持った傾斜係合部が前記カム板と係合可能に設けられ、該前扉の閉鎖時に該係止片が該係止凹部と該係合凹部に係合して連結杆の移動をロックすると共に、カム板が解錠側に回動したとき、該ロック部材が該係止片と係止凹部及び係合凹部との係合を外してロックを解除するゲーム機の施錠装置において、
該ロック部材をロック非作動位置に保持するための非作動位置保持部材が、ロック作動位置とロック非作動位置間で切り換え可能に該連結杆に取り付けられたことを特徴とするゲーム機の施錠装置。
【請求項２】
前記非作動位置保持部材は、前記連結杆に回動可能に枢支されると共に、前記ロック部材の係合部に係止されて該ロック部材を非作動位置に保持する係止部が設けられ、ロック作動位置とロック非作動位置間で回動して切り換えられることを特徴とする請求項１記載のゲーム機の施錠装置。
【請求項３】
前記非作動位置保持部材は、着脱可能に前記連結杆に装着され、ロック非作動時には該連結杆の所定位置に取り付けられ、ロック作動時にはそれを外してロック作動状態とすることを特徴とする請求項１記載のゲーム機の施錠装置。
【請求項４】
上部と下部に鉤部を一体に形成した施錠杆が縦長の基枠体内に摺動可能に配設され、該基枠体の中間部にシリンダ錠が取り付けられ、該シリンダ錠の錠軸の先端に該施錠杆と係合するカム板が固定され、前記基枠体がゲーム機の前扉に縦に取付けられ、該ゲーム機の本体枠側に取付けられた受け金具の係止部に前記鉤部が係止されて前扉を施錠するゲーム機の施錠装置であって、
前記本体枠側に係止片が設けられ、該前扉の閉鎖時に該係止片が係合する係止凹部が前記施錠杆に設けられ、該係止凹部の近傍の該施錠杆にロック部材が揺動可能に軸支され、該ロック部材には、該係止片が係合する係合凹部が設けられると共に、傾斜面を持った傾斜係合部が前記カム板と係合可能に設けられ、該前扉の閉鎖時に該係止片が該係止凹部と該係合凹部に係合して連結杆の移動をロックすると共に、カム板が解錠側に回動したとき、該ロック部材が該係止片と係止凹部及び係合凹部との係合を外してロックを解除するゲーム機の施錠装置において、
該ロック部材をロック非作動位置に保持するための非作動位置保持部材が、ロック作動位置とロック非作動位置間で切り換え可能に該施錠杆に取り付けられたことを特徴とするゲーム機の施錠装置。                                                                       
【発明の詳細な説明】
【技術分野】
【０００１】
本発明は、スロットマシン、パチンコ機等のゲーム機の前扉の内側に取り付けられ、前扉を本体枠（キャビネット等）に対し施錠するゲーム機の施錠装置に関する。
【背景技術】
【０００２】
ゲーム機の前扉を本体枠に対し施錠する施錠装置として、断面Ｌ字状またはコ字状の取付板と支持板を有した基枠体の内側に、連結杆が摺動可能に配設され、支持板の上部と下部に鉤部材が連結杆に連結されて傾動可能に枢支され、取付板の中間部にシリンダ錠がその錠軸を取付板に設けた孔から内側に差込むように固定され、錠軸の先端に連結杆と係合するカム板が固定されてなる施錠装置が、一般に使用されている。
【０００３】
この種の施錠装置は、シリンダ錠の錠軸をキーで回すことにより、カム板を回動させ、カム板に係合する連結杆を上下に摺動させ、これにより、連結杆の上下端に連結される鉤部材を傾動させ、鉤部材の受け金具との係合をはずして解錠する構造である。しかしながら、施錠状態つまり鉤部材が受け金具と係合した状態であっても、鉤部材に直接力を加えて動かせば、それを傾動させることができるため、ゲーム機の一部に隙間があって、その隙間から針金等を内部に差し込み、針金等で鉤部材に直接力を加えて傾動させると、前扉がキーを用いずに不正に解錠されてしまう問題があった。
【０００４】
そこで、本発明者らは、施錠完了時に連結杆の動きをロックするロック部材を連結杆に枢支して設け、解錠時にはロック部材のロックを解除する機構を設けることにより、上記のような不正解錠を防止する施錠装置を、下記特許文献１などで提案している。
【特許文献１】特開２００３−７０９６８公報
【発明の開示】
【発明が解決しようとする課題】
【０００５】
この施錠時に連結杆をロックして不正解錠を防止する施錠装置は、ゲーム機の前扉を本体枠に対し閉じ、鉤部材を受け金具の係止部に係止させて施錠を完了すると、ロック部材が連結杆をロックすることにより鉤部材がロックされ、ゲーム機の本体枠と前扉の隙間等から、針金等を差し込んで、連結杆や鉤部材を直接動かして不正解錠をしようとしても、施錠状態にある連結杆や鉤部材はロックされて動かず、不正解錠を防止するものである。しかし、ゲーム機の製造時の組立工程、検査工程などにおける調整時に、キーを使用せずに前扉を開く際、ロックが作動して、本体枠の内側からの操作では開くことができず、効率の良い作業が行えないという課題があった。
【０００６】
さらに、ゲーム機が設置されるパチンコホールによっては、ホールに設置したゲーム機の内部にモータやソレノイドによって作動するワイヤ機構を配設し、そのワイヤ機構により連結杆を動かして、電気的にパチンコ機の前扉などを解錠することが行われているが、この場合、連結杆をロックする機構が作動すると、施錠時には連結杆にロックがかかるため、ワイヤ機構を用いて電気的に解錠することが難しいという課題があった。
【０００７】
本発明は、上記の課題を解決するためになされたもので、不正解錠を防止するためのロック部材の作動・非作動を簡単に切り換えて設定することができるゲーム機の施錠装置を提供することを目的とする。
【課題を解決するための手段】
【０００８】
上記の目的を達成するために、本発明の施錠装置は、取付板と支持板からなる基枠体の内側に連結杆が摺動可能に配設され、該支持板の上部と下部に鉤部材が該連結杆に連結されて傾動可能に枢支され、該基枠体の中間部にシリンダ錠が取り付けられ、該シリンダ錠の錠軸の先端に前記連結杆と係合するカム板が固定され、前記基枠体がゲーム機の前扉に縦に取付けられ、該ゲーム機の本体枠側に取付けられた受け金具の係止部に前記鉤部材が係止されて前扉を施錠するゲーム機の施錠装置であって、前記本体枠側に係止片が設けられ、該前扉の閉鎖時に該係止片が係合する係止凹部が前記連結杆に設けられ、該係止凹部の近傍の該連結杆にロック部材が揺動可能に軸支され、該ロック部材には、該係止片が係合する係合凹部が設けられると共に、傾斜面を持った傾斜係合部が前記カム板と係合可能に設けられ、該前扉の閉鎖時に該係止片が該係止凹部と該係合凹部に係合して連結杆の移動をロックすると共に、カム板が解錠側に回動したとき、該ロック部材が該係止片と係止凹部及び係合凹部との係合を外してロックを解除するゲーム機の施錠装置において、該ロック部材をロック非作動位置に保持するための非作動位置保持部材が、ロック作動位置とロック非作動位置間で切り換え可能に該連結杆に取り付けられたことを特徴とする。
【０００９】
ここで、上記非作動位置保持部材は、上記連結杆に回動可能に枢支されると共に、前記ロック部材の係合部に係止されて該ロック部材を非作動位置に保持する係止部が設けられ、ロック作動位置とロック非作動位置間で回動して切り換えるように構成することができる。また、非作動位置保持部材は、着脱可能に連結杆に装着し、ロック非作動時にはそれを連結杆の所定位置に取り付け、ロック作動時にはそれを外してロック作動状態とするように構成することもできる。
【発明の効果】
【００１０】
上記構成の施錠装置では、通常、非作動位置保持部材をロック作動位置に設定し、施錠時に連結杆がロックされるようにしておく。ゲーム機の前扉を本体枠に対し閉じ、鉤部材を受け金具の係止部に係止させて施錠を完了すると、ロック部材が連結杆をロックして鉤部材がロックされる。このため、ゲーム機の本体枠と前扉の隙間等から、針金等を差し込んで、連結杆や鉤部材を直接動かして不正解錠をしようとしても、施錠状態にある連結杆や鉤部材はロックされて動かず、不正解錠を防止することができる。
【００１１】
一方、シリンダ錠による解錠時にはロック部材がカム板の係合部により係合を外す方向に揺動し、係止片の係止凹部と係合凹部との係合を解除してロックを解除するから、キーによってシリンダ錠を解錠操作した際には、連結杆をカム板の回動により摺動させて、鉤部材を傾動させ、解錠することができる。
【００１２】
また、ロック部材は、連結杆に枢軸を介して揺動可能に軸支され、連結杆と共に移動する。このため、前扉を閉めて施錠する際、本体枠側の係止片がロック部材を押して揺動させながら係止凹部に進入し、その後、鉤部材の傾動により、連結杆がロック部材と共に摺動して、係止片がロック部材の係合凹部と係合し、施錠状態が完了する。
【００１３】
一方、ロック部材を非作動位置に保持してロックを非作動状態とする場合は、非作動位置保持部材をロック非作動位置に切り換える。これにより、ロック部材は非作動位置保持部材によってロック非作動位置に保持され、施錠状態における連結杆のロックは行われなくなる。このため、例えばパチンコ機の製造時における組立工程、検査工程などに、パチンコ機の前扉を本体枠の内側からキーを使用せずに簡単に開くことが可能となって、作業性が向上し、また、パチンコホールなどでは、ワイヤ機構を使用してモータやソレノイドにより電気的にゲーム機の施錠装置を解錠したい場合、ロック機構を備えた施錠装置であっても、ロック非作動状態として使用することができる。
【発明を実施するための最良の形態】
【００１４】
以下、本発明の実施形態を図面に基づいて説明する。図１はパチンコ機用の施錠装置の右側面図を、図２はその背面図を、図３はその平面図を、図４はその分解側面図を各々示している。１は縦長の基枠体で、取付板２と支持板３を断面Ｌ字状又は部分的に断面Ｆ字状に曲折して一体成形してなり、基枠体１の支持板３の上部と下部及び中間部に幅広の枢支部が形成される。取付板２には複数の取付孔が穿設され、取付板２の上部寄りにシリンダ錠７を挿入するための異形孔が形成される。
【００１５】
支持板３の上部と下部の枢支部には、鉤部材４、５が下側に傾動可能に、枢支ピン４ａ，５ａによって枢支され、支持板３の中間部の枢支部には後述の本体枠側の係止片２６が進入する凹部３ａが形成される。鉤部材４、５は三角形頭部とその中間部の係合凹部を設けて形成され、後述の分割形成された受け金具の係止部２４、２５に係止可能である。基枠体１の内側には、支持板３に沿って帯状長尺の連結杆６が上下に摺動可能に配設され、連結杆６の上端は、鉤部材４の末端部に連結ピン４ｂにより連結され、その下端は同様に下部の鉤部材５の末端部に連結ピン５ｂにより連結される。
【００１６】
図４の分解図に示すように、連結杆６の略中間部上寄りに、後述のカム板８の係合部８ａが係合する異形の係合孔６ａが形成されると共に、後述の本体枠側の係止片２６が進入して係合可能な係止凹部６ｂが設けられる。さらに、連結杆６は、その中間部に設けた長孔６ｃにガイドピン１６を通しそれを支持板３に固定することにより、支持板３に沿って摺動可能に支持される。この鉤部材４、５及びそれを動かす連結杆６は、パチンコ機の前面枠用の施錠機構を構成する。
【００１７】
この連結杆６の内側（支持板３との間）にロック部材１０が枢軸１１により揺動可能に配設される。このロック部材１０は、施錠時に連結杆６の移動をロックするもので、枢軸（支軸）１１によって連結杆６に対し揺動可能に取り付けられている。図４に示すように、このロック部材１０には、連結杆６の係止凹部６ｂに対応した位置に係合凹部１０ａが設けられ、また、傾斜面をもつ異形凹部状の傾斜係合部１０ｂがカム板８の係合部８ａと係合可能に形成される。
【００１８】
さらに、支持板３と連結杆６の間にガラス枠作動杆９が摺動可能に配設される。このガラス枠作動杆９は、図示しないガラス枠施錠具（パチンコ機のガラス枠が閉鎖する金枠の内側に取り付けられている）の解錠レバーに係合する係合片９ａを支持板３の長孔から外側に突き出すように有している。ガラス枠作動杆９の下部にはガイド孔９ｃが設けられ、そのガイド孔９ｃにガイドピン１６が挿通され、上下に摺動可能に保持される。また、ガラス枠作動杆９は、カム板８の係合部８ｂと係合可能な係合孔９ｂを有しており、カム板８の回動に応じて下方に摺動し、係合片９ａをガラス枠施錠具の解錠レバーに係合させて下方に動かし、ガラス枠施錠具を解錠させる。
【００１９】
ロック部材１０とガラス枠作動杆９との間にコイルばね１３がかけられ、コイルばね１３はロック部材１０を、その係合凹部１０ａが後述の係止片２６と係合する側に回動するように付勢している。ロック部材１０は連結杆６に対し枢軸１１により所定の僅かな角度範囲で回動可能に軸支され、施錠時に本体枠側の係止片２６がロック部材１０の係合凹部１０ａ進入した際、連結杆６の動き（解錠時の上方への移動）を阻止し、ロックする。また、キーをシリンダ錠７に差し込み錠軸及びカム板８を回動して行う解錠操作時には、カム板８の係合部８ａがロック部材１０の傾斜係合部１０ｂに作用して、ロック部材１０をその係合凹部１０ａと係止片２６の係合を外す側に回動させ、連結杆６のロックを解除して解錠方向に摺動させるように構成される。
【００２０】
取付板２の上部寄り部位に幅広部が形成され、その幅広部にシリンダ錠７を挿入するための異形孔が形成される。シリンダ錠７は、その異形孔に内側から挿入し、シリンダ錠７の元部のフランジ部７ａを取付板２に固定して、取り付けられる。シリンダ錠７の錠軸には係合部８ｂと係合部８ａを持つカム板８が固定され、カム板８を図２の時計方向に回動したとき、ガラス枠作動杆９に作用して、それを下方に摺動させる。
【００２１】
一方、図２の反時計方向にカム板８を回動させると、カム板の係合部８ａが連結杆６の係合孔６ａに係合し、連結杆６を上方に摺動させ、鉤部材４、５を下側に傾動させる。連結杆６と取付板２との間にコイルばね１２が掛けられ、連結杆６はコイルばね１２により下側に付勢される。連結杆６は、その中間部に設けた長孔６ｃにガイドピン１６を通し、支持板３に沿って上下に摺動可能に支持される。ガイドピン１６はガラス枠作動杆９のガイド孔９ｃにも挿通されて、その先端は支持板３に固定される。これにより、ガイドピン１６は、連結杆６と共にガラス枠作動杆９の上下動をガイドする。また、連結杆６は、取付板２の一部を切り起こして形成した切起部によっても摺動可能にガイドされる。
【００２２】
さらに、連結杆６のロック部材１０の対応位置近傍には、非作動位置保持部材１８がロック部材１０をロック作動位置と非作動位置とで切り換えて設定できるように取り付けられる。非作動位置保持部材１８は、図５に示すように、連結杆６の幅広部の上部に差し込み可能な差込空間１８ａを内側に有して形成され、その内側に枢軸部１８ｂと位置決め用の凸部１８ｃが突設され、上部には、ロック部材１０を非作動位置に保持するために係止部１８ｄがロック部材１０の係合部１０ｃに係合可能に設けられる。
【００２３】
連結杆６の取付対応箇所に、枢軸部１８ｂが嵌合する嵌合孔と位置決め用の凸部１８ｃが嵌合する２個の嵌合孔が穿設され、非作動位置保持部材１８は、連結杆６の幅広部の上部に、その差込空間１８ａを差し込み、枢軸部１８ｂを嵌合孔に嵌合させて、約９０度の範囲で回動可能に取り付けられる。非作動位置保持部材１８は、通常、図６のように、連結杆６の長手方向に沿った縦位置にセットされ、その凸部１８ｃを連結杆６のより内側の嵌合孔に嵌めて装着される。非作動位置保持部材１８は枢軸部１８ｂを軸に回動可能であり、ロック部材１０を非作動位置に保持する場合には、図７のように、９０度外側に回動させ、その係止部１８ｄをロック部材１０の係合部１０ｃに係合させる。このとき、非作動位置保持部材１８の内側の係合部１８ｃは連結杆６側の嵌合孔に嵌合して、ロック部材１０を非作動位置に保持する姿勢を保持する。
【００２４】
上記構成の施錠装置は、図８〜図１０に示すように、パチンコ機の前扉（前面枠）２１の内側に、シリンダ錠７の先端を前面に露出させ、鉤部材４、５をパチンコ機の本体枠２０側に向けた状態で、取付板２を用いて縦に取付けられる。一方、本体枠２０の内側には、受け金具の係止部２４，２５が鉤部材４，５の対応位置に各々固定される。さらに、係止片２６が本体枠２０の内側の所定位置に取り付けられる。この係止片２６は、前扉２１の閉鎖時に、上記連結杆６の係止凹部６ｂとロック部材１０の係合凹部１０ａ内に進入するように、その係止凹部６ｂと係合凹部１０ａに位置に対応して取り付けられる。なお、通常、非作動位置保持部材１８は、図６のように、連結杆６の長手方向に沿った縦方向のロック作動位置にセットされ、施錠時に連結杆６がロック部材１０によりロックされるようにしておく。
【００２５】
この施錠装置は、パチンコ機の前扉２１を本体枠２０に対し閉じると、図８に示すように、施錠装置の上下の鉤部材４、５が本体枠２０側の係止部２４、２５に当って下方に傾動し、このとき、係止片２６がロック部材１０の係合凹部１０ａの上縁部に当たる。ロック部材１０が揺動可能であるため、前扉２１を閉じる力によって係止片２６に押されて内側に揺動し、係止片２６が連結杆６の係止凹部６ｂ内に進入した時、鉤部材４、５が係止部２４、２５に嵌り係合する。そして、コイルばね１３の付勢力により連結杆６が上方に戻ることにより、ロック部材１０の係合凹部１０ａが上に移動し、これにより、図９に示すように、係止片２６がロック部材１０の係合凹部１０ａと連結杆６の係止凹部６ｂ内に嵌入し、連結杆６がロックされる。
【００２６】
このように、前扉２１を閉じる際に、ロック部材１０が揺動して、本体枠側の係止片２６の係止凹部６ｂへの係合が許容されるから、係止片２６が連結杆６の係止凹部６ｂに容易に嵌り込むことができ、また、鉤部材４、５が係止部２４、２５の係止される際、連結杆６がロック部材１０と共に上方に移動するから、係止片２６は係止凹部６ｂと共に、ロック部材１０の係合凹部１０ａに確実に係合し、連結杆６をロック状態とすることができる。
【００２７】
従って、パチンコ機の前扉２１と本体枠２０の間の隙間から針金等を差し込み、鉤部材４、５や連結杆６を不正に傾動或は摺動させようとしても、連結杆６がロックされて動かず、不正解錠を防止することができる。
【００２８】
前扉２１をキーにより解錠する場合は、図１０のように、キーでシリンダ錠７の錠軸を回し、カム板８を図２反時計方向に回転させると、カム板８の係合部８ａが、連結杆６の長孔６ａに進入すると共に、ロック部材１０の傾斜係合部１０ｂに当たって、ロック部材１０の上部を前方（受け金具と反対方向）に揺動させながら、連結杆６を上方に摺動させる。このとき、ロック部材１０は、その係合凹部１０ａを係止片２６から外すように揺動し、この係止片２６と係合凹部１０ａとの係合が外れる。これによって、連結杆６の上方への移動が可能となり、この際、連結杆６が上方へ移動することにより、上下の鉤部材４、５が下方に傾動して、係止部２４、２５との係合が外れ、前扉２１が解錠される。
【００２９】
このように、キーを右に回して、カム板８の係合部８ａを同方向に回動させれば、ロック部材１０を揺動させてロックを外しながら、連結杆６を解錠方向に移動させ、鉤部材４、５を傾動させて、解錠することができる。一方、キーを左に回せば、カム板８が同方向に回動し、その係合部８ｂがガラス枠作動杆９の係合孔９ｂに係合してこれを下方に摺動させ、係合片９ａを介して図示しないガラス枠施錠具を解錠動作させ、ガラス枠を解錠させる。
【００３０】
ところで、パチンコ機の製造時の組立工程や検査工程などにおいて、パチンコ機のガラス枠を開いて作業を行う際、パチンコ機の内側からキーを用いずに前扉２１を解錠したい場合があるが、このような場合には、図７のように、非作動位置保持部材１８を背面側に倒すように約９０度回動させる。これにより、非作動位置保持部材１８の上部の係止部１８ｄが、図７のように、ロック部材１０の係合部１０ｃに係合して、ロック部材１０を非ロック位置に保持する。つまり、ロック部材１０が非ロック位置に揺動した状態でロック部材１０の係合部１０ｃに係止部１８ｄが係合され、ロック部材１０は非ロック位置に保持される。
【００３１】
したがって、製造時の検査工程、調整工程、パチンコホールでのパチンコ機の保守点検の際には、この非作動位置保持部材１８をロック非作動位置にセットしておけば、ロック部材１０は図７のようにロックの非作動状態に保持されるから、本体枠２０の内側から鉤部材４又は５或いは連結杆６を下側に引けば、係止部２４，２５との係合が外れ、キーを使用しなくても解錠することができる。勿論、キーを使用してシリンダ錠７、カム板８を回すことによっても、解錠することはできる。
【００３２】
なお、本発明は、上記実施形態に限定されるものではなく、以下のような態様でも実施可能である。上記実施形態では、非作動位置保持部材をロック作動位置とロック非作動位置間で回動して切り換えたが、非作動位置保持部材を着脱可能に連結杆に装着し、ロック非作動時にはそれを連結杆の所定位置に取り付け、ロック作動時にはそれを外すことによりロック作動状態とすることもできる。
【００３３】
また、上記では、支持板の上部と下部に鉤部材を傾動可能に枢支し、連結杆によって両鉤部材を連結したが、上部と下部に鉤部を一体に形成してなる施錠杆を基枠体内に摺動可能に配設した構造の施錠装置にも適用することができ、この場合には、ロック部材をその施錠杆に枢軸を介して軸支し、施錠杆に係止凹部を設け、本体枠側の係止片をそこに係合させる構造にすれば良い。また、上記ではパチンコ機用の施錠装置の例を説明したが、勿論、スロットマシン用の施錠装置に適用することもできる。
【００３４】
以上説明したように、本発明のゲーム機の施錠装置によれば、通常時は、非作動位置保持部材をロック作動位置にして、ロック部材による連結杆のロックが施錠時に作用する状態とし、ロック部材をロック非作動状態としたい場合、非作動位置保持部材を回動させてロック非作動位置に切り換えると、非作動位置保持部材の係止部がロック部材の係合部を係止して、ロック部材をロック非作動位置に保持する状態となり、施錠時の連結杆のロックは行われなくなる。
【００３５】
このように、非作動位置保持部材の簡単な回動操作でロック部材が非作動状態となり、例えばパチンコ機の製造時における組立工程、検査工程などに、パチンコ機の前扉を本体枠の内側からキーを使用せずに簡単に開くことが可能となって、作業性が向上する。また、パチンコホールなどでは、ワイヤ機構を使用してモータやソレノイドにより電気的にゲーム機の施錠装置を解錠したい場合、ロック機構を備えた施錠装置であっても、簡単な操作でロック非作動状態として施錠装置を使用することができる。
【図面の簡単な説明】
【００３６】
【図１】本発明の一実施形態を示す施錠装置の右側面図である。
【図２】その背面図である。
【図３】その平面図である。
【図４】その分解側面図である。
【図５】（ａ）は非作動位置保持部材の正面図、（ｂ）は同保持部材の左側面図である。
【図６】非作動位置保持部材をロック作動位置にセットした場合の拡大右側面図である。
【図７】非作動位置保持部材をロック非作動位置にセットした場合の拡大右側面図である。
【図８】同施錠装置の使用状態における前扉を閉じる際の右側面図である。
【図９】同施錠装置の施錠状態の右側面図である。
【図１０】キーを用いて解錠する際の施錠装置の右側面図である。
【符号の説明】
【００３７】
１−基枠体
２−取付板
３−支持板
４、５−鉤部材
６−連結杆
６ｂ−係止凹部
７−シリンダ錠
８−カム板
１０−ロック部材
１０ａ−係合凹部
１０ｂ−傾斜係合部
１１−枢軸
１８−非作動位置保持部材
２０−本体枠
２１−前扉
２６−係止片
【図１】
2005118212.tif 000003
【図２】
2005118212.tif 000004
【図３】
2005118212.tif 000005
【図４】
2005118212.tif 000006
【図５】
2005118212.tif 000007
【図６】
2005118212.tif 000008
【図７】
2005118212.tif 000009
【図８】
2005118212.tif 000010
【図９】
2005118212.tif 000011
【図１０】
2005118212.tif 000012